(57)【要約】【課題】横桟を手摺支柱に体裁良く取り付けできる横桟の取付構造を提供する。【解決手段】手摺支柱２を、一側端部が全長に亘り開口し且つその内部に隔壁を全長に亘り形成したアルミ押出型材からなる支柱本体５と、支柱本体５の開口部７を塞ぐように当該開口部７に着脱可能に取り付けられるアルミ押出型材からなる塞ぎ部材６とによって形成し、支柱本体５の一側端部側の横桟取付位置に横桟３が嵌合する横桟嵌合溝１６を形成し、この嵌合溝１６に嵌合する横桟３の嵌合部先端側に、支柱本体５内の隔壁８に当接する帯状取付板１７を固着し、しかして塞ぎ部材６を取り外した支柱本体５の内部隔壁８に、横桟３に固着した帯状取付板１７をビス１９止めすると共に、横桟３を支柱本体５の横桟嵌合溝１６に嵌合し、支柱本体５の開口部７に塞ぎ部材６を取り付けてなる。【選択図】図６
2006077515.tif 000002
【特許請求の範囲】
【請求項１】
手摺りの支柱に横桟を取り付けるにあたり、手摺支柱を、一側端部がその全長に亘って開口し且つその内部に隔壁を全長に亘って形成したアルミ押出型材からなる支柱本体と、支柱本体の開口部を塞ぐように当該開口部に着脱可能に取り付けられるアルミ押出型材からなる塞ぎ部材とによって形成し、この支柱本体の一側端部側の横桟取付位置に横桟が嵌合する横桟嵌合溝を切欠形成し、この嵌合溝に嵌合する横桟の嵌合部先端側に、支柱本体内の隔壁に当接する帯状取付板を固着し、しかして塞ぎ部材を取り外した支柱本体の内部隔壁に、横桟に固着した帯状取付板をビス止めすると共に、横桟を支柱本体の横桟嵌合溝に嵌合し、支柱本体の開口部に塞ぎ部材を取り付けてなることを特徴とする手摺りにおける横桟の取付構造。
【請求項２】
帯状取付板は横桟に対しブラインドリベットによって固着してなることを特徴とする請求項１に記載の手摺りにおける横桟の取付構造。
【発明の詳細な説明】
【技術分野】
【０００１】
本発明は、手摺りにおいて手摺支柱に横桟を取り付ける横桟の取付構造に関するものである。
【背景技術】
【０００２】
手摺支柱に横桟を取り付ける従来の横桟の取付装置として、特許公報等の公知文献を具体的に挙げることはできないが、例えば、ベランダに設けられた比較的丈の高い堰壁の上部に手摺りを設置するにあたって、堰壁上に立設した複数の手摺支柱に横桟を複数段に架け渡すのに、従来では、横桟から手摺支柱にビスをねじ込んだり、あるいは取付金具を用いて横桟を手摺支柱に取り付けるようにしていた。
【発明の開示】
【発明が解決しようとする課題】
【０００３】
上記のように横桟を手摺支柱に直接ビス止めしたり、取付金具によって横桟を手摺支柱に取り付けるようにすると、横桟の取付部にビス頭が露出したり、取付金具が突出することになるため、外観上の体裁が悪く、美観を損なう、という問題がある。そこで、本発明は、横桟を手摺支柱に体裁良く取り付けることができ、横桟取付部の美観を損なうことのないようにした手摺りにおける横桟の取付構造を提供することを目的とする。
【課題を解決するための手段】
【０００４】
上記課題を解決するための手段を、後述する実施形態の参照符号を付して説明すると、請求項１に係る発明の手摺りにおける横桟の取付構造は、手摺りの支柱２に横桟３を取り付けるにあたり、手摺支柱２を、一側端部がその全長に亘って開口し且つその内部に隔壁を全長に亘って形成したアルミ押出型材からなる支柱本体５と、支柱本体５の開口部７を塞ぐように当該開口部７に着脱可能に取り付けられるアルミ押出型材からなる塞ぎ部材６とによって形成し、支柱本体５の一側端部側の横桟取付位置に横桟３が嵌合する横桟嵌合溝１６を切欠形成し、この嵌合溝１６に嵌合する横桟３の嵌合部先端側に、支柱本体５内の隔壁８に当接する帯状取付板１７を固着し、しかして塞ぎ部材６を取り外した支柱本体５の内部隔壁８に、横桟３に固着した帯状取付板１７をビス１９止めすると共に、横桟３を支柱本体５の横桟嵌合溝１６に嵌合し、支柱本体５の開口部７に塞ぎ部材６を取り付けてなることを特徴とする。
【０００５】
請求項２は、請求項１に記載の手摺りにおける横桟の取付構造において、帯状取付板１７は横桟３に対しブラインドリベット１８によって固着してなることを特徴とする。
【発明の効果】
【０００６】
上記解決手段による発明の効果を、後述する実施形態の参照符号を付して説明すると、請求項１に係る発明によれば、手摺支柱２を、一側端部が開口し且つ内部に隔壁８を全長に亘って形成したアルミ押出型材からなる支柱本体５と、支柱本体５の開口部７を塞ぐように開口部７に取り付けられるアルミ押出型材からなる塞ぎ部材６とによって形成し、支柱本体５の一側端部側の横桟取付位置に横桟３が嵌合する横桟嵌合溝１６を切欠形成し、この横桟嵌合溝１６に嵌合する横桟３の嵌合部先端側には、支柱本体５内の隔壁８に当接する帯状取付板１７を固着し、しかして塞ぎ部材６を取り外した支柱本体５の隔壁８に、横桟３に固着した帯状取付板１７をビス１９止めすると共に、横桟３を支柱本体５の横桟嵌合溝１６に嵌合し、支柱本体５の開口部７に塞ぎ部材６を取り付ける構造であるから、横桟３を手摺支柱２に強固に且つ安定良く取り付けることができると共に、横桟３の取付具である帯状取付板１７やビス１９等が横桟３や支柱本体５の外部に露出せず、また支柱本体５の内部が外側から見えることもないので、横桟３を体裁良く手摺支柱２に取り付けることができ、横桟３の取付部分の美観を損なうようなことがない。
【０００７】
請求項２に係る発明によれば、中空筒状のアルミ押出型材からなる横桟３に対し帯状取付板１７を簡単容易にして且つ強固に固着することができる。
【発明を実施するための最良の形態】
【０００８】
以下に本発明の好適な実施形態を図面に基づいて説明すると、図１の(a) は手摺りを屋外側から見た正面図、(b) は(a) のイ−イ線拡大断面図であり、図２は図１の(b) のロ−ロ線拡大断面図、図３の(a) は手摺支柱の取付部の拡大断面図、(b) は(a) のハ−ハ線断面図である。この手摺りは、例えばベランダに設置された比較的丈の高い堰壁１の上部に手摺支柱２を一定間隔おきに立設し、これらの手摺支柱２に亘って横桟３を複数段、例えば３段に架け渡し、手摺支柱２の上端部には手摺笠木４を取り付けてなるものである。
【０００９】
手摺支柱２は、一側端部がその全長に亘って開口し且つその内部に隔壁８を全長に亘って形成したアルミ押出型材からなる支柱本体５と、支柱本体の開口部７を塞ぐようにこの開口部７に着脱可能に取り付けられるアルミ押出型材からなる塞ぎ部材６とによって分割形成されたもので、手摺本体７の内部中央には径大のビスホール９が隔壁８に隣接して形成され、また手摺本体７の内部四隅には径小のビスホール１０が形成されている。塞ぎ部材６は、断面略々コ字状に形成されたもので、両側部に係嵌凹部ｂ，ｂを有し、これらの係嵌凹部ｂ，ｂに夫々係嵌して塞ぎ部材６を手摺支柱２の長手方向にスライドさせる係嵌凸部ａ，ａが、手摺本体７の開口部７の両側部であるビスホール１０，１０に形成されている。各横桟３は、中空横長矩形断面のアルミ押出型材からなる。
【００１０】
支柱本体５の下端部には支柱取付用アンカーとしての螺軸１１が径大ビスホール９に螺入されて、支柱本体５の下端から所要長さ突出されるようになっている。また支柱本体５の下端部には、前後左右４個のレベル調整用ボルト１２が、ボルト頭１２ｏを下向きにして螺装されている。即ち、図２及び図３から分かるように、支柱本体５の下端四隅部には夫々ビスホール１０が形成されているから、これら４箇所のビスホール１０に夫々下端部よりレベル調整用ボルト１２がねじ込まれている。
【００１１】
手摺支柱２を堰壁１上に立設するには、図３の(a) に示すように、堰壁１の上面１ａにアンカー挿入穴１５を設け、このアンカー挿入穴１５に接着剤Ｇを注入した後、手摺支柱２の下端から突出させた支柱取付用アンカーとしての螺軸１１を挿入して、接着剤Ｇで螺軸１１をアンカー挿入穴１５に固着することによって、手摺支柱２を堰壁１上に鉛直姿勢に立設する。また、手摺支柱２を堰壁１上に立設する際には、接着剤Ｇが固化しないうちに、手摺支柱２に下端四隅部にある４個のレベル調整用ボルト１２を適宜回してレベル調整することにより、手摺支柱２の鉛直度を適正に調整する。
【００１２】
次に、上記のような構成の手摺支柱２に横桟３を取り付けるための本発明に係る横桟３の取付構造について、図４〜図８を中心に図１〜図３をも参照しながら説明する。
【００１３】
先ず、支柱本体５の一側端部側（開口部７の位置して、塞ぎ部材６が取り付けられる端部側）の横桟取付位置に、横桟３が嵌合する横桟嵌合溝１６を切欠形成する。この場合、横桟３は手摺支柱２に対し３段に架け渡されるから、各支柱本体５には図５に示すように３つの横桟嵌合溝１６を所定間隔おきに形成する。また、支柱本体５に取り付けられる塞ぎ部材６は、支柱本体５の横桟嵌合溝１６の部分には取り付けられないことから、この横桟嵌合溝１６部分を除いて支柱本体５の開口部７を塞ぐように、図６に示すような４つに分断された形状となる。
【００１４】
そして、図４の(a) ，(b) に示すように、支柱本体５の横桟嵌合溝１６に嵌合する横桟３の嵌合部先端側に、支柱本体５内の隔壁に当接する帯状取付板１７を固着する。この帯状取付板１７は、図８から分かるように、その幅が支柱本体５の開口部７の幅よりも狭くなっている。帯状取付板１７には、所定位置にビス挿通孔１９を穿設しておく。また、この帯状取付板１７は、横桟３に対しブラインドリベット１８によって固着するのが好ましい。即ち、ブラインドリベット１８によれば、中空筒状のアルミ押出型材からなる横桟３に対し帯状取付板１７を簡単容易にして且つ強固に固着でき、しかも帯状取付板１７側に突出するリベット頭１８ａの突出量を極力少なくできる。
【００１５】
図５に示すように上下３段に配置した横桟３の夫々嵌合部先端側に固着した帯状取付板１７を、同図に示すように堰壁１上に立設した手摺支柱２の支柱本体５（塞ぎ部材６は外しておく）の内部にその開口部７より挿入して、隔壁８に押し付けるようにすると共に、各横桟３を支柱本体５の横桟嵌合溝１６に嵌合し、しかして帯状取付板１７のビス挿通孔１９から支柱本体５の隔壁８にビス１９をねじ込んで、図６に示すように帯状取付板１７を支柱本体５の隔壁８に取付け固定する。
【００１６】
上記のように塞ぎ部材６を取り外した支柱本体５内部の隔壁８に、横桟３に固着した帯状取付板１７をビス１９止めすると共に、横桟３を支柱本体５の横桟嵌合溝１６に嵌合した後、支柱本体５の開口部７に塞ぎ部材６を取り付ける。この塞ぎ部材６を支柱本体５の開口部７に取り付けるには、塞ぎ部材６を図８の仮想線で示すような位置から支柱本体５の開口部７に押し込んで、塞ぎ部材６の両側部の係嵌凹部ｂ，ｂを、支柱本体５の開口部７側の係嵌凸部ａ，ａに強制的に係嵌すればよい。
【００１７】
このような横桟３の取付構造によれば、手摺支柱２を、一側端部が開口し且つ内部に隔壁８を全長に亘って形成したアルミ押出型材からなる支柱本体５と、この支柱本体５の開口部７を塞ぐようにこの開口部７に着脱可能に取り付けられるアルミ押出型材からなる塞ぎ部材６とによって形成し、支柱本体５の一側端部側の横桟取付位置に横桟３が嵌合する横桟嵌合溝１６を切欠形成し、この横桟嵌合溝１６に嵌合する横桟３の嵌合部先端側に、支柱本体５内の隔壁８に当接する帯状取付板１７を固着し、しかして塞ぎ部材６を取り外した支柱本体５の内部隔壁８に、横桟３に固着した帯状取付板１７をビス１９止めすると共に、横桟３を支柱本体５の横桟嵌合溝１６に嵌合し、支柱本体５の開口部７に塞ぎ部材６を取り付けるようにした構造であるから、手摺支柱２に対し上下複数段に架け渡される横桟３を手摺支柱２に強固に且つ安定良く取り付けることができると共に、横桟３の取付具である帯状取付板１７、リベット１８及びビス１９が横桟３や支柱本体５の外部に露呈することがなく、また支柱本体５の内部が外側から見えることもないため、横桟３を体裁良く手摺支柱２に取り付けることができ、横桟３の取付部分の美観を損なうようなことがない。
【００１８】
また、この取付構造によれば、支柱本体５に横桟嵌合溝１６を形成し、また支柱本体５の開口部７を塞ぐを塞ぎ部材６を所要長さ（例えば、上下に隣合う横桟３，３間の間隔に相当する長さ）に切断しておけば、横桟３への帯状取付板１７の取付作業、帯状取付板１７の支柱本体５内部への取付作業、塞ぎ部材６の取付作業等は簡単容易に行うことができるから、施工コストの低廉化を図ることができる。
【００１９】
図１〜図８に示す実施形態では、アルミ押出型材からなる横桟３の断面形状が略々横長矩形状のものについて説明したが、横桟３の断面形状は、そのような横長矩形状のものに限るものではなく、図９の(a) に示すような横長楕円形状のものや、(b) に示すような円形状のものを使用することができ、また図示は省略するが、断面正方形のもの、縦長矩形状のものなど、種々の断面形状のアルミ押出型材を使用することができる。
【００２０】
尚、図１〜図３において、２０は手摺支柱２の根元部分に取り付けられる樹脂製の支柱根元カバーで、水平断面略々Ｃ字状のカバー本体２０ａと、このカバー本体２０ａの開口部に係嵌して取り付けられる塞ぎ部２０ｂとからなり、塞ぎ部２０ｂは支柱本体５にビス２１止めされるようになっている。
【図面の簡単な説明】
【００２１】
【図１】(a) は手摺りを屋外側から見た正面図、(b) は(a) のイ−イ線拡大断面図である。
【図２】図１の(b) のロ−ロ線拡大断面図である。
【図３】(a) は手摺支柱の取付部の拡大断面図であり、(b) は(a) のハ−ハ線断面図である。
【図４】(a) は横桟に帯状取付板を取り付けた状態の側面図、(b) は同状態の正面図である。
【図５】横桟に取り付けた帯状取付板を支柱本体の内部に挿入すると共に、横桟を支柱本体の横桟嵌合溝に嵌合する状態を示す一部断面側面図である。
【図６】支柱本体の開口部に塞ぎ部材を取り付ける状態の一部断面側面図である。
【図７】手摺支柱に横桟を取り付けた状態の側面断面図である。
【図８】図７のニ−ニ線断面図である。
【図９】(a) は横桟の断面形状が横長楕円形状である場合の横桟取付構造を示す説明図、(b) は横桟の断面形状が円形である場合の横桟取付構造を示す説明図である。
【符号の説明】
【００２２】
１          堰壁
２          手摺支柱
３          横桟
５          支柱本体
６          塞ぎ部材
７          支柱本体の開口部
８          支柱本体の内部の隔壁
１６        横桟嵌合溝
１８        ブラインドリベット
【図１】
2006077515.tif 000003
【図２】
2006077515.tif 000004
【図３】
2006077515.tif 000005
【図４】
2006077515.tif 000006
【図５】
2006077515.tif 000007
【図６】
2006077515.tif 000008
【図７】
2006077515.tif 000009
【図８】
2006077515.tif 000010
【図９】
2006077515.tif 000011